(57)【要約】【課題】セードを外した状態でも光源部が露出せず、使用者が不用意に基板やＬＥＤに接触したり、静電気や湿気によりＬＥＤの性能が低下することを防止できる照明器具を提供する。【解決手段】器具本体２１と、複数の基板４３、及び各基板４３上に配置される複数のＬＥＤ素子４２を有し、器具本体２１に配置される光源部４１と、器具本体２１に装着されるセード５１と、器具本体２１とセード５１との間において光源部４１を覆うように配置される、複数の透光性の保護部材６１と、を備える。【選択図】図２
2014049349.tif 000002
【特許請求の範囲】
【請求項１】
器具本体と、
複数の基板と、前記各基板上に配置される複数のＬＥＤ素子と、を有し、前記器具本体に配置される光源部と、
前記器具本体に装着されるセードと、
前記器具本体と前記セードとの間において前記光源部を覆うように配置される、複数の  透光性の保護部材と、
を備えることを特徴とする照明器具。
【請求項２】
請求項１に記載の照明器具であって、
前記複数の基板のそれぞれに対応する数の複数の保護部材を備える、
ことを特徴とする照明器具。
【請求項３】
請求項１又は２のいずれか１項に記載の照明器具であって、
前記器具本体は、前記基板が配置される基板取付部と、前記保護部材が配置される保護部材取付部と、を有するとともに、前記保護部材取付部の照射面側への突出量を、前記基板取付部の照射面側への突出量よりも大きくした、
ことを特徴とする照明器具。
【請求項４】
請求項１から３のいずれか１項に記載の照明器具であって、
前記光源部は、前記複数の基板のうち、隣接して配置される前記基板の間に間隙を確保し、
前記保護部材は、前記複数の保護部材のうち、隣接して配置される前記保護部材のそれぞれの端部が、前記間隙の照射面側で相互に重複するように配置される、
ことを特徴とする照明器具。
【発明の詳細な説明】
【技術分野】
【０００１】
本発明は、ＬＥＤを光源とする照明器具に関する。
【背景技術】
【０００２】
近年、照明器具の光源として、発光ダイオード（ＬＥＤ）を用いたものが開発されている。例えば、特許文献１には、基板上に複数のＬＥＤを配設した光源部を有する照明器具が開示されている。照明器具には、通常光源の保護や光のグレアを解消するためにセードが備えられている。特許文献１に開示されている照明器具においてもセード（保護板６）が備えられている。
【先行技術文献】
【特許文献】
【０００３】
【特許文献１】特開２０１０−２８２７６２号公報
【発明の概要】
【発明が解決しようとする課題】
【０００４】
しかしながら、照明器具の清掃やその他の目的でセードを外す場合がある。セードを外した状態で光源部が露出すると、使用者が不用意に基板やＬＥＤに接触することがあり、静電気の帯電や湿気等によりＬＥＤの性能が低下する場合がある。
【０００５】
本発明は、上記の問題を解決すべくなされたものである。本発明の目的は、セードを外した状態でも光源部が露出せず、使用者が不用意に基板やＬＥＤに接触することを防止し、静電気や湿気等によるＬＥＤの性能の低下を防止できる照明器具を提供することである。
【課題を解決するための手段】
【０００６】
即ち、本願に開示する照明器具は、
器具本体と、
複数の基板と、各基板上に配置される複数のＬＥＤ素子と、を有し、器具本体に配置される光源部と、
器具本体に装着されるセードと、
器具本体とセードとの間において光源部を覆うように配置される、複数の透光性の保護  部材と、
を備える。
【０００７】
照明器具は、複数の基板のそれぞれに対応する数の複数の保護部材を備える。
【０００８】
照明器具の器具本体は、基板が配置される基板取付部と、保護部材が配置される保護部材取付部と、を有するとともに、保護部材取付部の照射面側への突出量を、基板取付部の照射面側への突出量よりも大きくする。
【０００９】
照明器具の光源部は、複数の基板のうち、隣接して配置される基板の間に間隙を確保し、
保護部材は、複数の保護部材のうち、隣接して配置される保護部材のそれぞれの端部が、間隙の照射面側で相互に重複するように配置される。
【発明の効果】
【００１０】
本願に開示する照明器具によれば、セードを外した状態でも光源部が露出せず、使用者が不用意に基板やＬＥＤ素子に接触することを防止でき、静電気の帯電等による光源部の性能の低下を防止できる。
【図面の簡単な説明】
【００１１】
【図１】本発明の実施形態に係る照明器具１１の側面図。
【図２】器具本体２１にＬＥＤ光源モジュール４４、保護部材６１、及び収容部カバー２８を配置した状態における照射面側の平面図。
【図３】図２のｉｉｉ−ｉｉｉ線における断面の一部を示す図。
【図４】器具本体２１の照射面側の平面図。
【図５】図４のｖ−ｖ線における断面図。
【図６】保護部材６１の平面図。
【図７】図２のｖｉｉ−ｖｉｉ線における断面図。
【図８】器具本体２１にＬＥＤ光源モジュール４４を配置した状態における照射面側の平面図。
【図９】器具本体２１にＬＥＤ光源モジュール４４，及び保護部材６１を配置した状態における照射面側の平面図。
【発明を実施するための形態】
【００１２】
本発明の実施形態に係る照明器具１１について、図１から図９を用いて説明する。本実施形態に係る照明器具１１は、ＬＥＤ素子４２を光源とする照明器具である。図１に示すように、照明器具１１は、天井等の取付面に直付けされるシーリングライトである。以下の説明では、光を照射する側を照明器具１１の照射面側とし、天井等の取付面に取り付けられる側を取付面側として説明する。
【００１３】
まず、照明器具１１の概略構成について説明する。図１〜図３に示すように、照明器具１１は、主に器具本体２１、電源装置３１、光源部４１、セード５１、及び保護部材６１を有している。
【００１４】
器具本体２１は、照明器具１１の本体を構成するものである。本実施形態に係る照明器具１１は平面形状が円形であり、器具本体２１の平面視での外形輪郭形状も円形である。器具本体２１の周縁部には、セード５１を保持するための保持部２９が設けられている。
【００１５】
セード５１は、器具本体２１の照射面側を覆うように取り付けられ、光源部４１からの光を反射及び拡散させつつ、外部へ配光する部材である。セード５１は、透光性を有する樹脂素材で形成されている。セード５１の全体形状は、平面形状が円形であり、照射面側に緩やかにドーム状に膨らんでいる。セード５１は、セード５１の内部の清掃や器具本体２１の部品交換等のために器具本体２１に対して着脱できる構造となっている。セード５１の開口縁部には、器具本体２１に取り付けるための被保持部５２が形成されている。
【００１６】
セード５１を器具本体２１に取り付ける場合、詳細は省略するが、セード５１を器具本体２１の取り付け位置に配置して第１の方向に回動させると、セード５１の被保持部５２が器具本体３１の保持部２９に保持されてセード５１が器具本体２１に取り付けられる。また、セード５１が器具本体３１に取り付けられた状態でセード５１を第１の方向とは逆の第２の方向に回動させると、器具本体３１の被保持部５２がセード５１の保持部２９から外れて、セード５１を器具本体２１から取り外すことができる。
【００１７】
次に器具本体２１について詳細に説明する。図２〜図４に示すように、器具本体２１は、照明器具１１の本体を構成するものである。本実施形態に係る照明器具１１は平面形状が円形であり、器具本体２１の平面視での外形輪郭形状も円形である。器具本体２１は、主として収容部２３、取付穴２４、基板取付部２５、第１保護部材取付部２６、及び第２保護部材取付部２７を有している。器具本体２１は、熱伝導性を有するアルミニウム等の金属板で形成されている。本実施形態では、基板取付部２５、第１保護部材取付部２６、及び第２保護部材取付部２７等は、板金加工により形成されている。
【００１８】
収容部２３は、器具本体２１の半径方向中央部に設けられる。収容部２３は、光源部４１のＬＥＤ素子４２を点灯させるための電源装置３１や点灯装置（図示せず）等が収容される部分である。収容部２３は、収容部カバー２８で覆われており、内部に電源装置３１や点灯装置等を収容するための高さ、及び幅が確保されている。収容部カバー２８は、光源部４１に隣接して設けられているため、収容部カバー２８が光源部４１からの光を遮ると、セード５１に収容部カバー２８の影が映ることとなる。このため、収容部カバー２８の外側は、傾斜面に形成され、光源部４１からの光を遮りにくくしている。収容部カバー２８の外周部にはフランジ部２８１が形成されており、フランジ部２８１には、器具本体２１に取り付けるための貫通孔２８２が形成されている。器具本体２１に対する収容部カバー２８の取り付けについては後述する。
【００１９】
取付穴２４は、照明器具１１を天井に取り付ける際、アダプタ（図示せず）を取り付ける部分である。取付穴２４は、器具本体２１の半径方向中心となる位置に設けられている。取付穴２４は、収容部２３の下面側から器具本体２１の上面側まで貫通して設けられている。照明器具１１を例えば天井に取り付ける場合は、照明器具用の天井配線器具（引っ掛けシーリング）にアダプタを取付け、取付穴２４にアダプタを差し込むようにして取り付ける。
【００２０】
電源装置３１は、点灯装置（図示せず）等とともに光源部４１のＬＥＤ素子４２を点灯させるための装置である。電源装置３１及び点灯装置等は、収容部２３に収容されている。電源装置３１にはコネクタ３２が設けられている。照明器具１１を例えば天井に取り付ける際、コネクタ３２をアダプタ側のコネクタ（図示せず）と接続することで、照明器具用の天井配線器具を介して外部電源と電気的に接続される。点灯装置と光源部４１は電線（図示せず）によって電気的に接続されている。
【００２１】
基板取付部２５は、光源部４１が取り付けられる部分である。図３、図５に示すように、基板取付部２５は、器具本体２１の照射面側に突出するように形成されている。器具本体２１の取付面側に対する基板取付部２５の照射面側への突出量をＬ１とする。光源部４１を配置する面は平坦に形成されている。
【００２２】
図４に示すように、基板取付部２５は、複数形成されている。本実施形態では、基板取付部２５は８か所に形成されている。基板取付部２５が形成される領域は、収容部２３を取り囲む領域であり、収容部２３よりも器具本体２１の半径方向外側であって、かつ、器具本体２１の外周縁部よりも器具本体２１の半径方向やや内側の領域である。８か所の基板取付部２５は、この領域において、器具本体２１の半径方向に一定の幅を有する円環を周方向に８等分に分割した形状に形成されている。各基板取付部２５は、隣接する基板取付部２５との間に間隔２５１をおいて形成されている。基板取付部２５には、光源部４１のＬＥＤ光源モジュール４４を固定するための取付孔２５２が形成されている。
【００２３】
第１保護部材取付部２６、及び第２保護部材取付部２７は、保護部材６１が取り付けられる部分である。図３、図５に示すように、第１保護部材取付部２６、及び第２保護部材取付部２７は、器具本体２１の照射面側に突出するリブ状に形成されている。器具本体２１の取付面側に対する、第１保護部材取付部２６、及び第２保護部材取付部２７の照射面側への突出量はそれぞれＬ２としている。
【００２４】
図４に示すように、第１保護部材取付部２６、及び第２保護部材取付部２７は、それぞれ複数形成されている。複数の第１保護部材取付部２６は、収容部２３と基板取付部２５との間の領域において仮想の同一円周上に配列されている。複数の第２保護部材取付部２７は、基板取付部２５よりも器具本体２１の半径方向外側の領域において仮想の同一円周上に配列されている。
【００２５】
図５に示すように、第１保護部材取付部２６、及び第２保護部材取付部２７の照射面側への突出量Ｌ２は、基板取付部２５の照射面側への突出量Ｌ１よりも大きく設定されている。第１保護部材取付部２６、及び第２保護部材取付部２７の照射面側への突出量Ｌ２と、基板取付部２５の照射面側への突出量Ｌ１は、それぞれ、図３に示すように、基板取付部２５に光源部４１を配置し、第１保護部材取付部２６、及び第２保護部材取付部２７部に保護部材６１を配置した状態で、光源部４１のＬＥＤ素子４２と、保護部材６１とが非接触状態となるように設定されている。
【００２６】
図４に示すように、第１保護部材取付部２６には、隣接する基板取付部２５の間に形成される間隔２５１に対応する位置に、器具本体２１の半径方向外側に向けて凸部２６１が形成されている。凸部２６１には、保護部材６１を固定するための取付孔２６２が形成されている。各第１保護部材取付部２６に形成される凸部２６１と凸部２６１の間には、収容部カバー２８と保護部材６１を固定するための取付孔２６３が形成されている。
【００２７】
第２保護部材取付部２７には、隣接する基板取付部２５の間に形成される間隔２５１に対応する位置に、器具本体２１の半径方向内側に向けて凸部２７１が形成されている。凸部２７１には、保護部材６１を固定するための取付孔２７２が形成されている。また、隣接する間隔２５１と間隔２５１の中間となる位置には、器具本体２１の半径方向内側に向けて凸部２７３が形成されている。凸部２７３には、保護部材６１を固定するための取付孔２７４が形成されている。尚、保持部２９が形成されている位置には、凸部２７１及び凸部２７３が形成できないため、円形の凸部２７５が形成され、そこに取付孔２７６が形成されている。
【００２８】
図３、図８に示すように、光源部４１は、複数のＬＥＤ光源モジュール４４を有している。各ＬＥＤ光源モジュール４４は、基板４３上に複数のＬＥＤ素子４２が実装されて構成されている。本実施形態では、光源部４１は、基板取付部２５に対応して、８枚のＬＥＤ光源モジュール４４で構成されている。
【００２９】
図３、図８に示すように、ＬＥＤ光源モジュール４４は、基板取付部２５に配置される。ＬＥＤ光源モジュール４４の平面形状は、基板取付部２５に取り付け可能な大きさで、かつ、隣接して配置されるＬＥＤ光源モジュール４４の基板４３の間に間隙４５が確保される形状とする。図８に示すように、複数のＬＥＤ光源モジュール４４は、基板取付部２５に配置された状態では、器具本体２１の半径方向に一定の幅を有する円環状に配列される。ＬＥＤ光源モジュール４４は、基板取付部２５に形成された取付孔２５２に対応する位置に貫通孔（図示せず）が形成されており、ボルト４６を用いて基板取付部２５に取り付けられる。
【００３０】
図３、図６〜図９に示すように、保護部材６１は、器具本体２１とセード５１との間において、光源部４１を覆うように配置される部材である。保護部材６１は、透光性を有しており、例えば透光性を有する樹脂シート素材で形成されている。本実施形態では、ＬＥＤ光源モジュール４４に対応して８枚の保護部材６１を有しており、各保護部材６１は、基板取付部２５に配置された各ＬＥＤ光源モジュール４４に対応して配置される。保護部材６１の形状は、ＬＥＤ光源モジュール４４を覆うことができるよう、各ＬＥＤ光源モジュール４４の形状よりもやや大きい形状である。
【００３１】
保護部材６１は、第１保護部材取付部２６、及び第２保護部材取付部２７に配置される。より具体的には、保護部材６１は、第１保護部材取付部２６の凸部２６１、第２保護部材取付部２７の凸部２７１、凸部２７３、及び凸部２７５に跨るように配置される。図６に示すように、第１保護部材取付部２６の凸部２６１の取付孔２６２、及び第２保護部材取付部２７の凸部２７１の取付孔２７２、凸部２７３の取付孔２７４、及び凸部２７５の取付孔２７６に対応する位置には、貫通孔６２が形成されている。
また、第１保護部材取付部２６の取付孔２６３に対応する位置には、切欠部６３が形成されている。
【００３２】
図９に示すように、各保護部材６１は、基板取付部２５に配置された各ＬＥＤ光源モジュール４４を覆うように配置され、ボルト６８を用いて第１保護部材取付部２６の凸部２６１、及び第２保護部材取付部２７の凸部２７１、凸部２７３、及び凸部２７５に取り付けられる。
【００３３】
ここで、隣接して配置される保護部材６１は、端部６４を重複させた状態で、第１保護部材取付部２６の凸部２６１、及び第２保護部材取付部２７の凸部２７１に跨るように配置される。図７に示すように、重複させた端部６４は、間隙４５の照射面側に重なるように配置される。
【００３４】
図２に示すように、器具本体２１に、ＬＥＤ光源モジュール４４、及び保護部材６１を取り付けた後、収容部カバー２８を器具本体２１に取り付ける。このとき、収容部カバー２８のフランジ部２８１で保護部材６１の一部を押圧する。ボルト６９をフランジ部２８１の貫通孔２８２に通して取付孔２６３に固定すると、収容部カバー２８と保護部材６１とを同時に固定することができる。尚、保護部材６１の切欠部６３は、取付孔２６３の位置に対応しているため、フランジ部２８１と第１保護部材取付部２６との間に保護部材６１の一部を介在させた状態とすることができる。
【００３５】
以上説明した本実施形態に係る照明器具１１によれば、次のような効果を有する。
【００３６】
照明器具１１によれば、器具本体２１とセード５１との間において光源部４１を覆うように配置される、複数の透光性の保護部材６１を備える。このため、セード５１を外した状態でも光源部４１が露出せず、使用者が不用意に基板４３やＬＥＤ素子４２に接触することを防止でき、静電気の帯電等による光源部４１の性能の低下を防止できる。また、透光性の保護部材６１を複数とすることで組立性を向上させることができる。
【００３７】
照明器具１１によれば、複数の基板４３のそれぞれに対応する数の複数の保護部材６１を備える。また、保護部材６１を配置する際に、隣接する保護部材６１と保護部材６１との間の隙間や重複部は、基板４３の間に確保された間隙４５上部に位置するようにしているので、各基板４３上のＬＥＤ素子４２を各基板４３に対応する保護部材６１で確実に覆うことができる。
【００３８】
照明器具１１によれば、器具本体２１は、基板取付部２５と、保護部材取付部としての第１保護部材取付部２６、及び第２保護部材取付部２７を有し、第１保護部材取付部２６、及び第２保護部材取付部２７の照射面側への突出量Ｌ２を、基板取付部２５の照射面側への突出量Ｌ１よりも大きくした。このため、セード５１を外した状態で、使用者が保護部材６１に接触した場合でも、保護部材６１とＬＥＤ素子４２とが接触しにくくなり、光源部４１の損傷を防止することができる。
【００３９】
照明器具１１によれば、光源部４１は、複数の基板４３のうち、隣接して配置される基板４３の間に間隙４５を形成し、保護部材６１は、複数の保護部材６１のうち、隣接して配置される保護部材６１のそれぞれの端部６４が、間隙４５の照射面側で相互に重複するように配置される。このため、隣接して配置される保護部材６１の間に隙間が生じず、使用者が不用意に基板４３やＬＥＤ素子４２に接触することを防止できる。また、隣接して配置される保護部材６１の重複部は、ＬＥＤ素子４２から離れた位置に配置されることとなり、ＬＥＤ素子４２からの照射光と干渉しにくく、配光性に及ぼす影響を抑えることができる。
【００４０】
以上、本発明の実施形態について説明したが、本発明は上記実施例に限定されるものではなく、様々な変更が可能である。例えば、照明器具１１は丸型としたが、角型やその他の形状としてもよい。また、シーリングライトの他、ペンダントライト等に適用してもよい。
【００４１】
本実施形態の基板取付部２５、第１保護部材取付部２６、及び第２保護部材取付部２７等の形状や、ＬＥＤ光源モジュール４４及び保護部材６１等の形状や枚数は一例であり、本実施形態の形状や枚数に限定されるものではない。例えば、照明器具１１の形状が丸型以外の角型やその他の形状である場合には、それに応じた形状や枚数とすることができる。
【符号の説明】
【００４２】
１１    照明器具
２１    器具本体
２３    収容部
２４    取付穴
２５    基板取付部
２６    第１保護部材取付部
２７    第２保護部材取付部
３１    電源装置
４１    光源部
４２    ＬＥＤ素子
４３    基板
４４    ＬＥＤ光源モジュール
５１    セード
６１    保護部材
【図１】
2014049349.tif 000003
【図２】
2014049349.tif 000004
【図３】
2014049349.tif 000005
【図４】
2014049349.tif 000006
【図５】
2014049349.tif 000007
【図６】
2014049349.tif 000008
【図７】
2014049349.tif 000009
【図８】
2014049349.tif 000010
【図９】
2014049349.tif 000011